(57)【要約】【課題】この発明は、タッチパネル付き表示器におけるタッチパネルが破損した場合でも、タッチパネル付き表示器の表示画面を利用した操作が可能となる入力装置を提供することを目的とする。【解決手段】タッチパネル付き表示器およびテンキーを備えた入力装置において、タッチパネル付き表示器の表示部に表示された選択項目を選択するモードとして、タッチパネルを用いて選択操作を行なう第１選択モードと、テンキーに割り当てられた移動キーおよび決定キーを用いて選択操作を行なう第２選択モードとがあり、第１選択モードと第２選択モードとを切り換えるための選択モード切り換えキーを備えている。【選択図】図１
2007233931.tif 000002
【特許請求の範囲】
【請求項１】
タッチパネル付き表示器およびテンキーを備えた入力装置において、  タッチパネル付き表示器の表示部に表示された選択項目を選択するモードとして、タッチパネルを用いて選択操作を行なう第１選択モードと、テンキーに割り当てられた移動キーおよび決定キーを用いて選択操作を行なう第２選択モードとがあり、
第１選択モードと第２選択モードとを切り換えるための選択モード切り換えキー、選択モード切り換えキーによって選択モードが第１選択モードに設定された場合には、タッチパネルからの入力に基づいて、タッチパネル付き表示器の表示部に表示されている選択項目の選択・非選択状態を判別する手段、および選択モード切り換えキーによって選択モードが第２選択モードに設定された場合には、テンキーに割り当てられた移動キーおよび決定キーからの入力に基づいて、タッチパネル付き表示器の表示部に表示されている選択項目の選択・非選択状態を判別する手段を備えていることを特徴とする入力装置。
【請求項２】
第２選択モード時においては、テンキー内の十字に並ぶキーの中心のキーに決定キーが割り当てられ、決定キーの左右、上下にあるキーに移動キーが割り当てられることを特徴とする請求項１に記載の入力装置。
【発明の詳細な説明】
【技術分野】
【０００１】
この発明は、画像形成装置等の入力装置に関する。
【背景技術】
【０００２】
複写機の操作部に使用されるの表示器としては、操作キーの数を減らすために、一般的にタッチパネル(touch panel) 付きの表示器が用いられている。タッチパネル付きの表示器では、タッチパネルの下側にある液晶表示部に操作ボタンを表示し、そのボタンに対応するタッチパネル部分が押されると、当該操作ボタンが押されたと認識される。
【０００３】
ところで、タッチパネルは、平面ガラス上に抵抗体を塗布したシートが貼り付けられた構成となっている。近年、表示器の表示領域は大型化しているが、表示領域内においてはタッチパネルを支持する部材を配置できないため、タッチパネル上にユーザが肘を付くなどのように、ユーザが不用意にタッチパネルを強く押さえてしまうと、タッチパネルが破損する可能性がある。タッチパネルが破損してしまうと、タッチパネル付き表示器の表示画面を利用した操作が行なえなくなってしまう。
【０００４】
【特許文献１】特開２０００−３０５７０５号公報
【発明の開示】
【発明が解決しようとする課題】
【０００５】
この発明は、タッチパネル付き表示器におけるタッチパネルが破損した場合でも、タッチパネル付き表示器の表示画面を利用した操作が可能となる入力装置を提供することを目的とする。
【課題を解決するための手段】
【０００６】
請求項１に記載の発明は、タッチパネル付き表示器およびテンキーを備えた入力装置において、タッチパネル付き表示器の表示部に表示された選択項目を選択するモードとして、タッチパネルを用いて選択操作を行なう第１選択モードと、テンキーに割り当てられた移動キーおよび決定キーを用いて選択操作を行なう第２選択モードとがあり、
第１選択モードと第２選択モードとを切り換えるための選択モード切り換えキー、選択モード切り換えキーによって選択モードが第１選択モードに設定された場合には、タッチパネルからの入力に基づいて、タッチパネル付き表示器の表示部に表示されている選択項目の選択・非選択状態を判別する手段、および選択モード切り換えキーによって選択モードが第２選択モードに設定された場合には、テンキーに割り当てられた移動キーおよび決定キーからの入力に基づいて、タッチパネル付き表示器の表示部に表示されている選択項目の選択・非選択状態を判別する手段を備えていることを特徴とする。
【０００７】
請求項２に記載の発明は、請求項１に記載の発明において、第２選択モード時においては、テンキー内の十字に並ぶキーの中心のキーに決定キーが割り当てられ、決定キーの左右、上下にあるキーに移動キーが割り当てられることを特徴とする。
【発明の効果】
【０００８】
この発明によれば、タッチパネル付き表示器におけるタッチパネルが破損した場合でも、タッチパネル付き表示器の表示画面を利用した操作が可能となる。
【発明を実施するための最良の形態】
【０００９】
以下、図面を参照して、この発明を、複写機能、プリンタ機能、スキャナ機能およびファックス機能を備えた複合機の入力装置に適用した場合の実施例について説明する。
【実施例１】
【００１０】
図１は、複合機の操作部（操作ユニット）を示している。
【００１１】
複合機の操作部には、タッチパネル付き表示器１が設けられている。タッチパネル付き表示器１は、液晶表示器１１と、その上側に配置されたタッチパネル１２とから構成されている。タッチパネル付き表示器１の右側には、テンキー２、スタートキー３等が設けられている。タッチパネル付き表示器１の左側には、複写機能、プリンタ機能、スキャナ機能およびファックス機能それぞれに対応する機能キー４、５、６、７が設けられている。      
【００１２】
この実施例では、タッチパネル付き表示器１の液晶表示器１１に表示された選択項目（操作ボタン）を選択するモードとして、タッチパネル１２を用いて選択操作を行なう第１選択モード（通常モード）と、テンキー２に割り当てられた移動キーおよび決定キーを用いて選択操作を行なう第２選択モードとがある。
【００１３】
このようなモードを切り換えるための選択モード切換キー２０が、タッチパネル付き表示器１の左側に新たに設けられている。
【００１４】
テンキーは、通常、図２（ａ）に示すように、”０”〜”９”の数字に対応する１０個のキーと、”＊”に対応する１個のキーと、”♯”に対応する１個のキーとの合計１２個のキーから構成されている。この実施例では、選択モードが第２選択モードである場合には、図２（ｂ）に示すように、テンキーのうちの”５”の数字キーに決定キーが割り当てられ、”５”の数字キーの左側の”４”の数字キーに左方向移動キーが割り当てられ、”５”の数字キーの右側の”６”の数字キーに右方向移動キーが割り当てられ、”５”の数字キーの上側の”２”の数字キーに上方向移動キーが割り当てられ、”５”の数字キーの下側の”８”の数字キーに下方向移動キーが割り当てられるようになっている。
【００１５】
なお、テンキーのうちの”８”の数字キーに決定キーを割り当て、”８”の数字キーの左側の”７”の数字キーに左方向移動キーを割り当て、”８”の数字キーの右側の”９”の数字キーに右方向移動キーを割り当て、”８”の数字キーの上側の”５”の数字キーに上方向移動キーを割り当て、”８”の数字キーの下側の”０”の数字キーに下方向移動キーを割り当てるようにしてもよい。
【００１６】
図３は、液晶表示器１１に表示される基本画面の一例を示している。
【００１７】
この基本画面では、”自動用紙”、”手差し”等の文字が内部に表示されている四角の枠で囲まれた項目および”基本”、”ユーザ機能”等の文字が付されたタブが選択項目となる。
【００１８】
選択モードが第２モードに切り換えられた場合には、予め決められた所定の選択項目内（例えば、”Ａ４”の文字が内部に表示されている選択項目内）にカーソルが表示される。移動キーのいずれかを押すと、その移動キーに対応する方向にカーソルが移動する。カーソルが任意の選択項目内にある状態において、決定キーを押すと、その選択項目が選択された状態となり、その選択項目が反転表示される。選択状態となっている選択項目を非選択状態とするには、その選択項目を移動キーによって仮選択して、決定キーを押せばよい。
【００１９】
なお、仮選択されている選択項目をカーソルによって示すようにしているが、仮選択されている選択項目をハイライト表示（または点滅表示）によって示すようにしてもよい。つまり、選択モードが第２モードに切り換えられた場合には、予め決められた所定の選択項目（例えば、”Ａ４”の文字が内部に表示されている選択項目）をハイライト表示させる。移動キーのいずれかを押すと、その移動キーに対応する方向にある次の選択項目がハイライト表示される。選択項目がハイライト表示されている状態において、決定キーを押すと、その選択項目が選択された状態となり、その選択項目が反転表示される。選択状態となっている選択項目を非選択状態とするには、その選択項目を移動キーによって仮選択して、決定キーを押せばよい。
【００２０】
図４は、操作部を制御するＣＰＵおよびその入出力機器を示している。
【００２１】
液晶表示器１１、タッチパネル１２、選択モード切換キー２０、テンキー２およびその他のキー（図示略）は、操作部を制御するＣＰＵ３０に接続されている。
【００２２】
ＣＰＵ３０は、選択モード切換キー２０が押される毎に、選択モードを通常モードとテンキー使用モードとの間で切り換える。ＣＰＵ３０は、選択モードが第１選択モードである場合には、タッチパネル１２からの入力に基づいて、液晶表示器１１に表示されている選択項目の選択・非選択状態を判定する。選択モードが第２選択モードである場合には、ＣＰＵ３０は、テンキーに割り当てられた移動キーおよび決定キーからの入力に基づいて、液晶表示器１１に表示されている選択項目の選択・非選択状態を判定する。
【００２３】
この実施例によれば、タッチパネル付き表示器１のタッチパネル１２が破損したとしても、タッチパネル付き表示器の表示画面を利用した操作が可能となる。
【図面の簡単な説明】
【００２４】
【図１】複合機の操作部を示す平面図である。
【図２】テンキーに割り当てられた移動キーおよび決定キーを示す模式図である。
【図３】液晶表示器１１に表示される基本画面の一例を示す模式図である。
【図４】操作部を制御するＣＰＵおよびその入出力機器を示すブロック図である。
【符号の説明】
【００２５】
１  タッチパネル付き表示器
２  テンキー
３  スタートキー
４、５、６、７  機能キー
１１  液晶表示器
１２  タッチパネル
２０  選択モード切換キー
３０  ＣＰＵ
【図１】
2007233931.tif 000003
【図２】
2007233931.tif 000004
【図３】
2007233931.tif 000005
【図４】
2007233931.tif 000006